(57)【要約】【課題】  素人レベルでの極めて容易な分解、組立て、区画変更を実現するとともに、再分解、再組立てに対する耐久性を高めた自立型の組立て間仕切りを提供する。【解決手段】  任意数の単位パネル２０…とポール部材３１…とを備える。各単位パネル２０の左右の側端面には、係止金具装填溝を形成した側枠桟２１，２１が取り付けられるとともに、ポール部材３１の四方の側面にもそれぞれ係止金具装填溝が形成される。側枠桟２１およびポール部材３１の係止金具装填溝には、掛け金具と受け金具とのいずれかを選択して交換可能にスライド挿入することができる。単位パネル２０は、掛け金具と受け金具を介して直接に、またはポール部材３１を介して屈曲連結することができる。損傷し易い掛け金具等は、簡単に予備品と交換することができる。【選択図】  図１
2011122295.tif 000002
【特許請求の範囲】
【請求項１】
所定の単位幅と単位高さを有する任意枚数の単位パネルと、該単位パネルと係合連結可能な任意本数の角柱状のポール部材とを備え、設置現場において複数枚の単位パネルを前記ポール部材を介して順次に直線方向または直交方向に係合連結して大空間を小空間に区画するようにしてなる自立型の組立て間仕切りにおいて、
前記単位パネルは、左右の側端面に、それぞれ金属製の側枠桟を取り付けてなり、該側枠桟には、幅中央位置に全長に及んで形成する係止金具装填溝と、該係止金具装填溝を挟んで全長に及ぶ１対の突当て面を形成するとともに、
前記ポール部材の４側面に、それぞれ、前記単位パネルの側枠桟の係止金具装填溝と突当て面とに対応する係止金具装填溝と突当て面とを形成してなり、
前記複数枚の単位パネルは、前記側枠桟の係止金具装填溝とポール部材のいずれか２側面の係止金具装填溝にそれぞれ掛け金具と受け金具を装填し、対応する側枠桟の突当て面とポール部材の突当て面とを密着させた状態において装填した前記掛け金具と受け金具との係合動作によって前記ポール部材を介して直線方向または直交方向に係合連結可能であるとともに、
前記複数枚の単位パネルは、前記側枠桟の係止金具装填溝と隣接する単位パネルの側枠桟の係止金具装填溝とにそれぞれ掛け金具と受け金具を装填し、隣接する側枠桟の対応する突当て面を密着させた状態において装填した前記掛け金具と受け金具との係合動作によって前記ポール部材を介することなく直線方向に係合連結可能であることを特徴とする自立型の組立て間仕切り。
【請求項２】
前記掛け金具および受け金具は、前記単位パネルの側枠桟の係止金具装填溝または前記ポール部材の係止金具装填溝に端面側からスライド挿入し、所定位置に交換可能にねじ固定されていることを特徴とする請求項１に記載の自立型の組立て間仕切り。
【請求項３】
前記側枠桟の幅が、前記単位パネルの厚みより僅かに広く設定されていることを特徴とする請求項１または請求項２に記載の自立型の組立て間仕切り。
【発明の詳細な説明】
【技術分野】
【０００１】
本発明は、体育館等の大規模建造物の内部空間を、必要に応じて短時間内に多数の小空間または個室として区画することができるとともに、使用後は、簡単に単位部材に分解して収納することができる自立型の組立て間仕切りに関する。
【背景技術】
【０００２】
体育館や多数人が集会する各種の会館等の堅固な大規模建造物は、地震や台風、洪水等の自然災害発生に際しての避難場所に指定されていることが多く、ここ数年来の異常気象に伴い、全国各地における避難施設としての利用実績も高い。また、これらの建造物は、恒例的な公私の催事会場としても定期的に利用されている。
【０００３】
体育館等を避難施設として現実に利用した経験からは、今後何らかの対応をすべきいくつかの課題が指摘されている。このような問題としては、トイレや風呂の絶対数の不足等の問題もあるが、中でも、プライバシーの確保をどうするかという問題が代表的である。プライバシーが確保されない雑居状態を嫌って自家用車の中で寝泊りし、避難者の中から死者を出した実例からも窺えるように、これらの問題は、第三者が予想する以上に避難当事者にとっては極めて深刻な問題である。避難期間が長期化すれば、なおさらである。
【０００４】
この問題に対する対応策としては、簡易な組立て式の間仕切りを体育館等の内部に備蓄しておき、必要に応じて組み立てて利用するという提案が、一般的であり、そのような用途に向けられた間仕切りや、その構成部分に関する提案例も多い。しかし、上記のような緊急的な用途を考えると、単に、組立て式であって、単位部材に分解して収納しておくことが可能であるということのみでは足りない。
【０００５】
すなわち、組立ておよび分解収納することができることは当然の前提として、その他に、（イ）緊急時においては、業者を手配して組み立てるということができないと認識しなければならないことから、特殊専用の工具を使用することなく素人において短時間内に簡単に組立てすることができなければならない。ただし、緊急時においても一般家庭に通常備えられているようなプラスドライバや、単位部材に粘着テープ等で固着可能な六角レンチ程度の工具は、許容できると考えられる。
【０００６】
（ロ）刻々と変化する避難状況下において、体育館等の内部空間を最大限に活用することの必要性から、メーカにおいて予定した特定の組立て手順に従うばかりでなく、間仕切り区画の拡張、縮小、区画数の増減等の応用的組立ておよび応用的分解に容易に対応することができること。つまり、規定の分解作業手順を強要することなく、例えば、既に組み立てられ部分と、別に組み立てられた部分とを容易に連結することができること等の取扱いの柔軟性が求められる。
【０００７】
（ハ）分解した際の部材点数が最小限であること、および分解した部材の収納性が良好であること。これは、体育館等の内部に確保すべき常時備蓄用のスペースを最小限に抑えたいという要請のみならず、部材点数が多い場合には、紛失等のおそれが高くなるからである。
【０００８】
また、（ニ）催事用のブースの区画設営にも流用可能な適度の品質感および繰返し使用に耐える耐久性を有すること。これは、体育館等に間仕切りが備蓄されているにもかかわらず、催事において別途に間仕切りを準備する無駄を省くためである。
【０００９】
さらには、（ホ）繰り返しての分解および組立てをした場合においても、パネル相互間またはパネルと支柱部材相互間の連結精度や連結強度が低下しないものであることも重要である。組立て式の間仕切りの中には、分解および組立ては可能であるものの、組立て後の分解、再組立てを予定していいないものも多く、このような組立て式の間仕切りにおいては、繰り返しての分解、組立てによって、特定の部分、例えば、パネル相互の係止部材等が変形してしまうものが多いのである。
【００１０】
次に、いくつかの提案例を例示しておくので、特に、上記の要望事項が十分に満足されるか否かという観点から参照されたい。
【先行技術文献】
【特許文献】
【００１１】
【特許文献１】実開昭６０−４０７０４号公報
【特許文献２】特開２０００−１２９８２７号公報
【特許文献３】特開２００５−２６６６号公報
【特許文献４】特開２００６−１６１５２３号公報
【特許文献５】特開２００６−２９９７６４号公報
【００１２】
上記従来の提案例を参照するに、上記（イ）ないし（ホ）の要望事項を同時に満足させるような提案は、皆無である。例えば、薄い鋼板製の下向きまたは上向きの爪板のような係止金具を無理嵌めして間仕切りを組み立てる方式のものは、分解後の再度の組立てにおいては、連結する部材相互間にガタ（遊び）が生じてしまうものが多いことは、周知の事実である（特許文献１，２，３参照）。
【００１３】
このような問題が生じるのは、間仕切りを組立て式としている理由に基づくものである。すなわち、多くの組立て式の間仕切りは、工場組立てにすると現場への運搬ができないという理由によるものであり、何度も分解、組立てすることは予定されておらず、設置現場において継続的に使用することを予定しているのである。また、爪板のような係止金具は、パネルを構成する薄鋼板と一体であるか溶接付けによるものであり、爪板等が損傷しても交換することができるような構造にはされていないからである。
【００１４】
面ファスナや両面粘着テープを利用して組み立てる段ボール製の間仕切りは、言うまでもなく使捨て用途であり、反復しての使用には適さない（特許文献４参照）。また、全体が樹脂製である組立て式の間仕切りは、通常は金属製とされるパネル連結のための係合、係止、嵌め合い機能を担当する小形の連結部分が樹脂製であるために強度、耐久性に問題が生じると思われる（特許文献５参照）。外観についても特別な工夫をしない限りは、樹脂製品特有の貧素な外観となる他、パネルは、平面的な部材であるため、長期保存中における樹脂の劣化性歪み等も懸念される。
【発明の概要】
【発明が解決しようとする課題】
【００１５】
本発明は、上記従来の組立て間仕切りについて直接に又は暗に指摘した問題点を踏まえ、分解した際に分離されることとなる単位部材の種類を削減することによる、収納性の向上および備蓄スペースの削減、また、無工具または最小限の汎用工具のみによる短時間での容易な分解、組立て作業の実現、損傷し易い連結関連部品の交換可能化による繰返し使用における実質的耐久性の向上、必ずしもポール部材に依存することのないパネルの連結可能化による分解、組立ての応用性の向上、自然災害等の緊急事態以外の平常時用途に対する適合性の確保等を目的とする。
【課題を解決するための手段】
【００１６】
上記目的を達成するための本発明は、次のような構成を採用する。
【００１７】
（解決手段１）
本発明の自立型の組立て間仕切りは、所定の単位幅と単位高さを有する任意枚数の単位パネルと、単位パネルと係合連結可能な任意本数の角柱状のポール部材とを備え、設置現場において複数枚の単位パネルをポール部材を介して順次に直線方向または直交方向に係合連結して大空間を小空間に区画するようにしてなる自立型の組立て間仕切りにおいて、前記単位パネルは、左右の側端面に、それぞれ金属製の側枠桟を取り付けてなり、この側枠桟には、幅中央位置に全長に及んで形成する係止金具装填溝と、係止金具装填溝を挟んで全長に及ぶ１対の突当て面を形成するとともに、ポール部材の４側面には、それぞれ、単位パネルの側枠桟の係止金具装填溝と突当て面とに対応する係止金具装填溝と突当て面とを形成してなり、前記複数枚の単位パネルは、側枠桟の係止金具装填溝とポール部材のいずれか２側面の係止金具装填溝にそれぞれ掛け金具と受け金具を装填し、対応する側枠桟の突当て面とポール部材の突当て面とを密着させた状態において装填した掛け金具と受け金具との係合動作によってポール部材を介して直線方向または直交方向に係合連結可能であるとともに、前記複数枚の単位パネルは、側枠桟の係止金具装填溝と隣接する単位パネルの側枠桟の係止金具装填溝とにそれぞれ掛け金具と受け金具を装填し、隣接する側枠桟の対応する突当て面を密着させた状態において装填した掛け金具と受け金具との係合動作によってポール部材を介することなく直線方向に係合連結可能であることを特徴とする。
【００１８】
上記解決手段１に記載の構成にかかる自立型の組立て間仕切りは、任意枚数の単位パネルと、任意本数の角柱状のポール部材とを供える。これらの単位パネルは、ポール部材を介して順次に直線方向または直交方向に係合連結することができる。この際、各単位パネルの左右の側端面には、それぞれ金属製の側枠桟が取り付けられている。そして、この側枠桟には、側枠桟の幅中央位置に全長に及んで形成する係止金具装填溝が形成されているとともに、この係止金具装填溝を挟んでその左右位置には、側枠桟の全長に及ぶ１対の突当て面が形成されている。
【００１９】
一方、ポール部材の４側面には、それぞれ、単位パネルの側枠桟の係止金具装填溝と突当て面とに対応する係止金具装填溝と突当て面とを形成されている。
【００２０】
このような、単位パネルとポール部材の構成を採用することにより、複数枚の単位パネルは、その側枠桟の係止金具装填溝とポール部材のいずれか２側面の係止金具装填溝にそれぞれ掛け金具と受け金具を装填し、側枠桟の突当て面とポール部材の突当て面とを密着させた状態において装填した掛け金具と受け金具との係合動作によってポール部材を介して直線方向または直交方向に係合連結することができるのである。
【００２１】
さらに、複数枚の単位パネルは、いずれも側枠桟を備えることから、側枠桟の係止金具装填溝と隣接する単位パネルの側枠桟の係止金具装填溝とにそれぞれ掛け金具と受け金具を装填し、隣接する側枠桟の対応する突当て面を密着させた状態において装填した掛け金具と受け金具との係合動作によってポール部材を介することなく直線方向に係合連結することもできるのである。
【００２２】
すなわち、単位パネルおよびポール部材に形成されている係止金具装填溝は、掛け金具と受け金具とのいずれか一方または双方を取り付けるための構成要素であり、また、単位パネルおよびポール部材に形成された突当て面は、ポール部材に対する単位パネルの連結姿勢、またはポール部材を介することなく直接に連結された単位パネル相互の連結姿勢を決定し、決定された連結姿勢を維持する構成要素である。
【００２３】
（解決手段２）
本発明の自立型の組立て間仕切りは、上記解決手段１に記載した掛け金具および受け金具が、単位パネルの側枠桟の係止金具装填溝またはポール部材の係止金具装填溝に端面側からスライド挿入し、所定位置に交換可能にねじ固定されていることを特徴とする。
【００２４】
上記解決手段２に記載の構成にかかる自立型の組立て間仕切りは、掛け金具と受け金具とがいずれも交換可能である。ここで、交換可能であるとは、例えば、掛け金具や受け金具が損傷した際に、新しいものと交換することができるということの他、掛け金具と受け金具とを相互に入れ換えるように交換することもできるという趣旨であることを特に注記する。この構成の採用により、繰り返しての分解、組立てに際しての単位パネル相互、または、単位パネルとポール部材の連結不良の問題を完全に防止することができるとともに、例えば、一方の側から組み立てた部分と、他方の側から別途に組み立てた部分とを連結する際に、互いに連結すべき部分の双方の係止金具装填溝に取り付けられている係止金具が、いずれも受け金具であったり、いずれも掛け金具であったりすると互いに連結することができないという自体が生じる。このような場合に、掛け金具と受け金具の組む合せとなるように、いずれか一方の係止金具を交換することによって簡単に連結可能とすることができるので、現場において、臨機応変の応用が効くのである。
【００２５】
（解決手段３）
本発明の自立型の組立て間仕切りは、上記解決手段１または解決手段２に記載した単位パネルの側枠桟の幅寸法が、単位パネルの厚みより僅かに広く設定されていることを特徴とする。
【００２６】
上記解決手段３に記載の構成にかかる自立型の組立て間仕切りは、分解後に多数枚の単位パネルの積重ね収納した場合において、多数枚の単位パネルの累積荷重が、単位パネルより幅の広い金属製の側枠桟によって受け止められ、側枠桟以外の部分には累積荷重が加わらないので、単位パネルを強度の制約を受けない自由な材料、例えば、ペーパコアパネル材料、発泡樹脂パネル材料等を利用して形成することができる。
【発明の効果】
【００２７】
本発明の自立型の組立て間仕切りは、基本的な構成部材の種類が単位パネルとポール部材のみであり、小容量の収納スペース内に多量の単位パネルとポール部材を備蓄しておくことが可能である。また、単位パネルとポール部材とは、いずれも係合連結のための掛け金具または受け金具を装填する係止金具装填溝を備えており、必要に応じてこれらの係合動作により無工具または掛け金具、受け金具を固定する最小限の汎用工具を使用して、したがって、素人によって簡単に現場組立ておよび分解することができる。また、これら掛け金具、受け金具が単位パネルやポール部材と一体成形されておらず、係止金具装填溝に、新品交換または入れ換え交換可能にねじ固定する方式であるため、これら局部的部材である係止金具の損傷によって、単位パネル全体またはポール部材全体が使用不能になるという不合理な事態を防止し、繰返し使用における実質的耐久性を格段に向上させることができる他、必ずしもポール部材に依存することのないパネルの直接連結を可能として組立ての応用性、自在性の向上を達成した。
【図面の簡単な説明】
【００２８】
【図１】本発明の自立型の組立て間仕切りの実施の形態を示す組立て状態の斜視図である。
【図２】上記実施の形態における単位パネル２０の要部の拡大斜視図。
【図３】上記実施の形態におけるポール部材３１の要部の拡大斜視図。
【図４】上記実施の形態における図１のＡ部の拡大斜視図。
【図５】上記実施の形態における図１のＢ部の拡大斜視図。
【図６】上記実施の形態における図１のＣ部の拡大斜視図。
【図７】上記実施の形態における図１のＤ部の拡大平面図。
【図８】上記実施の形態における掛け金具と受け金具の動作説明図。
【図９】上記実施の形態における掛け金具と受け金具の組合せ斜視図。
【図１０】上記実施の形態におけるポール部材の下端部の説明図。
【図１１】上記実施の形態におけるスタンドアングルの説明図。
【発明を実施するための形態】
【００２９】
以下、図面を引用しながら本発明の自立型の組立て間仕切り（以下単に「組立て間仕切り」という。）の実施の形態を説明する。
【００３０】
組立て間仕切りは、任意枚数の単位パネル２０…と、任意本数の角柱状のポール部材３１…と、付属金具である掛け金具４１、受け金具４２およびスタンドアングル３２とからなる（図１，図２，図３）。
【００３１】
複数の単位パネル２０…は、視線を遮断することができる適切な単位高さと、この単位高さに対してバランスの取れた単位幅を有するパネル部材であり、各単位パネル２０の左右の側端面には、補強部材を兼ねる軽金属製の側枠桟２１，２１が取り付けられている（図１，図２，図４）。また、単位パネル２０の上端面と下端面の角部稜線であるエッジには、取り扱い中の角落ち損傷等を防止する軽金属製のコーナ桟２３が取り付けられている。
【００３２】
なお、単位パネル２０…における側枠桟２１以外の面形成部材２２については、本発明の課題とするところではないので詳細な説明は割愛するが、上記のような補強機能を有する側枠桟２１，２１やコーナ桟２３を備えていることにより、面形成部材２２としては、極端に脆弱な材料でない限り任意の材料を使用可能であり、事実、多様な素材を使用することを予定して設計されている。
【００３３】
側枠桟２１は、アルミニウム合金の引き抜き加工製品である。この側枠桟２１は、最小限の使用材料で必要な強度を確保する要請から複雑な断面形状を有するが、本発明との関係においては、その幅Ｗ１と係止金具装填溝２Ｃと１対の突当て面２Ｆ，２Ｆが重要である。側枠桟２１の幅Ｗ１は、単位パネル２０の厚みＴより僅かに、具体的には遊合関係に寸法設定され、この寸法差は、単位パネル２０の厚みＴの左右に均等に振り分けられている（図２）。つまり、単位パネル２０の面形成部材２２の側端面は、側枠桟２１の２側面２Ｓ，２Ｓの間に一部挟み込まれている。
【００３４】
側枠桟２１の幅Ｗ１中央位置には、側枠桟２１の全長に及ぶ係止金具装填溝２Ｃが形成されるとともに、その左右位置には、１対の突当て面２Ｆ，２Ｆが形成されている。係止金具装填溝２Ｃは、Ｔ溝と同等の機能を有する内部拡大形の異形溝であり、Ｔ溝と同様の要領で使用される。また、１対の突当て面２Ｆ，２Ｆは、係止金具装填溝２Ｃを挟んでその左右に分離しているが、同一平面内に位置している。
【００３５】
単位パネル２０の左右の側枠桟２１，２１には、係止金具装填溝２Ｃを利用して、それぞれ複数個の掛け金具４１および受け金具４２が取り付けられる（図９）。この際、一方の側枠桟２１に掛け金具４１が取り付けられる場合には、他方の側枠桟２１には、受け金具４２が取り付けられる。これら掛け金具４１および受け金具４２の詳細については、後述する。
【００３６】
各ポール部材３１は、断面の輪郭が方形の柱状部材であり、側枠桟２１と同様にアルミニウム合金の引き抜き加工製品である（図１，図３）。ポール部材３１の１辺の幅Ｗ２は、側枠桟２１の幅Ｗ１と同一に設定されている。ポール部材３１の四方の各側面には、それぞれ、側枠桟２１の係止金具装填溝２Ｃに対応する係止金具装填溝３Ｃと、側枠桟２１の突当て面２Ｆ，２Ｆに対応する突当て面３Ｆ，３Ｆが形成されている（図３）。
【００３７】
ポール部材３１の４側面のいずれか１面または、必要に応じて２面ないしすべての面の係止金具装填溝３Ｃには、それぞれ複数個の掛け金具４１または受け金具４２が取り付けられる（図）９。これら掛け金具４１および受け金具４２の詳細については、後述する。
【００３８】
複数枚の単位パネル２０…は、ポール部材３１…を介して直線的に（図１のＣ部）、または任意の方向に屈曲させて（図１のＢ部）連結することができるとともに、ポール部材３１を介することなく単位パネル２０同士を直接に直線的に連結することもできる（図１のＤ部）。この際、各ポール部材３１の下端部には、単位パネル２０の直立姿勢を安定化するためのスタンドアングル３２…を取り付けることができる。また、組立て状態の組立て間仕切りの端に位置する単位パネル２０には、スタンドアングル３２を取り付ける目的でポール部材３１を取り付けることができる（図１のＡ部）。
【００３９】
上記図１のＡ部（図４）、図１のＢ部（図５）、図１のＣ部（図６）、図１のＤ部（図７）における単位パネル２０とポール部材３１との連結、および単位パネル２０と単位パネル２０との連結方式は、いずれも共通である。すなわち、これらの部材において対応する突当て面２Ｆ，２Ｆと突当て面３Ｆ，３Ｆ、または突当て面２Ｆ，２Ｆと突当て面２Ｆ，２Ｆとを密着させた状態において、対応する係止金具装填溝２Ｃ相互、または係止金具装填溝２Ｃと係止金具装填溝３Ｃとに装填した掛け金具４１と受け金具４２との係合連結による連結方式である（図７）。
【００４０】
ここで、共通の掛け金具４１および受け金具４２について説明する。掛け金具４１は、側枠桟２１の係止金具装填溝２Ｃ、または、ポール部材３１の係止金具装填溝３Ｃのいずれにもスライド挿入することができる厚板状のベースプレート４Ｂに、フック板４Ｆを嵌め込んで溶接付けした堅牢な金具である（図２，図９）。一方、受け金具４２は、同様の厚板状のベースプレート４Ｂにフック孔４Ｈを設けた堅牢な板状である（図３，図９）。両者は、受け金具４２のフック孔４Ｈに掛け金具４１のフック板４Ｆを通して掛け金具４１を下方にスライドさせる要領によって互いに係合連結することができる。
【００４１】
掛け金具４１および受け金具４２のベースプレート４Ｂ，４Ｂには、それぞれ上下２対のねじ孔Ｌ…が所定ピッチで設けられ（図９）、側枠桟２１またはポール部材３１の係止金具装填溝２Ｃ，３Ｃ内にタッピングねじ等の取付けねじＢ…を用いてねじ止めすることができる（図２，図３，図８）。したがって、掛け金具４１および受け金具４２は、損傷した際には、簡単に新品と交換することができるのである。さらに、掛け金具４１と受け金具４２のベースプレート４Ｂ，４Ｂの取付けねじＢ…の取付けピッチを共通とすることにより（図８の二点鎖線）、必要に応じて、掛け金具４１と受け金具４２とを入れ換え交換することもできるのである。
【００４２】
なお、各ポール部材３１の下端部には、打込みナットを介してノブ付きのアジァストねじ３３が取り付けられており（図１０，図１１）、組立て間仕切りの床着き状態を調節することができる他、スタンドアングル３２によって、組み立てた組立て間仕切りの振れを抑制することができる。各スタンドアングル３２は、ポール部材３１の係止金具装填溝３Ｃの装填したスライド板３Ｄに固定ねじＺ…を用いて固定されており、固定ねじＺ…を緩めることによって係止金具装填溝３Ｃに沿って上下移動可能である。したがって、アジァストねじ３３の操作量にかかわらず、床面に対して、安定性を確保して座らせることが可能である。
【符号の説明】
【００４３】
Ｔ        単位パネルの厚み
Ｗ１      側枠桟の幅
２０      単位パネル
２１      側枠桟
２１Ｃ    側枠桟の係止金具装填溝
２１Ｆ    側枠桟の突当て面
３１      ポール部材
３１Ｃ    ポール部材の係合金具装填溝
３１Ｆ    ポール部材の突当て面
４１      掛け金具
４２      受け金具
【図１】
2011122295.tif 000003
【図２】
2011122295.tif 000004
【図３】
2011122295.tif 000005
【図４】
2011122295.tif 000006
【図５】
2011122295.tif 000007
【図６】
2011122295.tif 000008
【図７】
2011122295.tif 000009
【図８】
2011122295.tif 000010
【図９】
2011122295.tif 000011
【図１０】
2011122295.tif 000012
【図１１】
2011122295.tif 000013